(57)【特許請求の範囲】
【請求項１】
挿入部の先端に連結された円柱状の先端部本体に、観察光学系収容穴と照明光学系収容穴とが形成された前方視型細径内視鏡の先端部において、
上記観察光学系収容穴を上記先端部本体の軸線方向に平行な円形の断面形状の穴により形成して、上記照明光学系収容穴を、内側縁が上記観察光学系収容穴の縁部の外側に沿い外側縁が上記先端部本体の外周の内側に沿う曲がり長穴によって形成すると共に、上記先端部本体の後端から全長の四分の一ないし二分の一の範囲を、上記観察光学系収容穴と上記照明光学系収容穴とが内部に開口する筒状に形成して、その筒状部内の空間に接着剤を充填したことを特徴とする前方視型細径内視鏡の先端部。
【請求項２】
上記筒状部内に観察光学系としてのイメージガイドファイバと照明光学系としてのライトガイドファイバが通っている請求項１記載の前方視型細径内視鏡の先端部。
【請求項３】
上記筒状部が上記先端部本体の後端から全長の略三分の一の範囲に形成されている請求項１又は２記載の前方視型細径内視鏡の先端部。
【請求項４】
上記挿入部に挿通されている内蔵物が観察光学系と照明光学系だけである請求項１、２又は３記載の前方視型細径内視鏡の先端部。
【発明の詳細な説明】
【０００１】
【発明の属する技術分野】
この発明は、前方視型細径内視鏡の先端部に関する。
【０００２】
【従来の技術】
前方視型内視鏡の挿入部の先端に連結された先端部本体には、観察光学系を収容するための観察光学系収容穴と照明光学系を収容するための照明光学系収容穴とが、軸線と平行方向に全長にわたって穿設されている。
【０００３】
【発明が解決しようとする課題】
しかし、極細径の内視鏡の場合には、観察光学系収容穴及び照明光学系収容穴共に非常に細い穴になるので、先端部本体への加工の際に穴が途中で曲がったり変形することがあって加工が容易ではない。また、観察光学系や照明光学系と穴の内周面との接着も不完全なものになりがちで、接着による固定とシールの信頼性が低かった。
【０００４】
そこで本発明は、観察光学系収容穴と照明光学系収容穴を先端部本体に正確に形成することができ、且つ先端部本体に対する観察光学系及び照明光学系の接着を高い信頼性で行うことができる前方視型細径内視鏡の先端部を提供することを目的とする。
【０００５】
【課題を解決するための手段】
上記の目的を達成するため、本発明の前方視型細径内視鏡の先端部は、挿入部の先端に連結された円柱状の先端部本体に、観察光学系収容穴と照明光学系収容穴とが形成された前方視型細径内視鏡の先端部において、上記観察光学系収容穴を上記先端部本体の軸線方向に平行な円形の断面形状の穴により形成して、上記照明光学系収容穴を、内側縁が上記観察光学系収容穴の縁部の外側に沿い外側縁が上記先端部本体の外周の内側に沿う曲がり長穴によって形成すると共に、上記先端部本体の後端から全長の四分の一ないし二分の一の範囲を、上記観察光学系収容穴と上記照明光学系収容穴とが内部に開口する筒状に形成して、その筒状部内の空間に接着剤を充填したことを特徴とする。
【０００６】
なお、上記筒状部内に観察光学系としてのイメージガイドファイバと照明光学系としてのライトガイドファイバが通っていてもよく、上記筒状部が上記先端部本体の後端から全長の略三分の一の範囲に形成されていてもよい。また、上記挿入部に挿通されている内蔵物が観察光学系と照明光学系だけであってもよい。
【０００７】
【発明の実態の形態】
図面を参照して本発明の実施の形態を説明する。
図４は、親スコープの処置具挿通チャンネルに挿脱して使用される子スコープ４０を示しており、操作部４１の下端部に挿入部４２の基端が連結されている。挿入部４２の直径は例えば２ｍｍ程度であり、その長さ（有効長）は後述する外套シース２０の全長より長く形成されている。４３は接眼部、４４は、図示されていない光源装置に接続されるライトガイドコネクタである。
【０００８】
図１は、子スコープ４０の挿入部４２の先端部分を示している。挿入部４２は、全長にわたって可撓性チューブ４６で外装されていて、その先端に先端部本体４７が連結されている。
【０００９】
この子スコープは、図２にも示されるように、観察窓４８と照明窓５１とが先端部本体４７の先端面に配置されて、先端部本体４７の前方を観察するようにした前方視型の内視鏡であり、観察窓４８の内側に配置された対物光学系４９による被写体の結像位置にイメージガイドファイバ５０の入射端面が配置されている。
【００１０】
照明窓５１の内側には、プラスチック製のライトガイドファイバ５２の射出端が配置されていて、その前面には、ライトガイドファイバ５２から射出される照明光の配光を良くし且つファイバ端面を保護するためのガラス製のビーズ５３が配置されている。
【００１１】
本発明の子スコープ４０は、胆管等に挿入するためにガイドワイヤーを使う必要がないので、III−III断面を示す図３に示されるように、可撓性チューブ４６の内部にはガイドワイヤーを通すためのチャンネルの類が設けられておらず、イメージガイドファイバ５０とライトガイドファイバ５２だけが通されている。
【００１２】
図１に戻って、先端部本体４７は円柱状の金属（例えばステンレス鋼）を素材としていて、後半部は可撓性チューブ４６の先端部分が被覆接着される分だけ外径寸法が細く形成されている。
【００１３】
そして、先端部本体４７の後端から全長の略三分の一の範囲は、図３に示されるように外周部によって囲まれる肉厚の薄い円筒形の断面形状の筒状部４７ａに形成されている。
【００１４】
そして、先端部本体４７の筒状部４７ａより先側の部分には、対物光学系４９とイメージガイドファイバ５０とによって構成される観察光学系が収容される観察光学系収容穴５５と、ビーズ５３とライトガイドファイバ５２とによって構成される照明光学系が収容される照明光学系収容穴５６とが先端部本体４７の軸線と平行方向に形成されている。
【００１５】
観察光学系収容穴５５は、後端が筒状部４７ａ内に開口する断面形状が円形の穴であり、先側の半部内には対物光学系４９が内蔵され、後側の半部にはイメージガイドファイバ５０の入射端部が挿通固着されている。この観察光学系収容穴５５は、先端部本体４７の中心軸線に対して偏心して位置しており、その最も外側に寄った縁部が筒状部４７ａの内周面に接する位置にある。
【００１６】
照明光学系収容穴５６は、内側縁が観察光学系収容穴５５の縁部の外側に沿い外側縁が筒状部４７ａの内周面に沿う円弧状に曲がった形状の曲がり長穴であり、ライトガイドファイバ５２の先端部分が挿通固着されてその先端部分にビーズ５３が内蔵されていて、後端が筒状部４７ａ内に開口している。
【００１７】
したがって、筒状部４７ａ内にはイメージガイドファイバ５０とライトガイドファイバ５２が引き通されており、筒状部４７ａの空間内には接着剤５９が充填されている。その結果、筒状部４７ａ内においてイメージガイドファイバ５０とライトガイドファイバ５２が先端部本体４７に対して確実に接着されている。
【００１８】
このように構成された前方視型細径内視鏡の先端部の先端部本体４７は、微細な穴である観察光学系収容穴５５と照明光学系収容穴５６が形成されている部分が先側から全長の略三分の二の範囲と短いので、途中における穴の曲がりや変形が極めて小さくて正確に加工することができる。
【００１９】
また、接着剤５９を確実に充填するだけの空間がある筒状部４７ａにおいて先端部本体４７に対するイメージガイドファイバ５０とライトガイドファイバ５２の接着が行われているので、強固で信頼性の高い固定とシールが行われる。
【００２０】
図５は、子スコープ４０を使用する前段階として、親スコープ１０を介して胆管１００内に造影剤注入チューブ３０の先端を差し込んで、胆管１００内に造影剤を注入する状態を示している。
【００２１】
親スコープ１０は、側方視型のいわゆる十二指腸ファイバースコープあり、操作部１１に可撓管状の挿入部１２が連結されていて、操作部１１からの遠隔操作によって屈曲自在な湾曲部１３が挿入部１２の先端部分に連結され、対物光学系等が内蔵された先端部本体１４が湾曲部１３の先端に連結されている。
【００２２】
処置具類を挿通するための処置具挿通チャンネルが挿入部１２と湾曲部１３の内部を通って配置されており、その処置具挿入口１５は操作部１１の下部に突設され、処置具出口１６は先端部本体１４の側面に開口形成されている。
【００２３】
造影剤注入チューブ３０は処置具挿通チャンネル内に直接通されているのではなく、造影剤注入チューブ３０の可撓性チューブ３１部分が外套シース２０に通され、造影剤注入チューブ３０の基端部に設けられた手元口金３２が外套シース２０の基端部に設けられた手元口金２２と結合されて、造影剤注入チューブ３０と外套シース２０とが一体になった状態で用いられる。
【００２４】
外套シース２０の有効長（即ち、可撓性チューブ２１の長さ）は処置具挿通チャンネルの全長より長く形成されていて、可撓性チューブ２１を処置具挿入口１５から処置具挿通チャンネル内にいっぱいに差し込めば、可撓性チューブ２１の先端部分２１ａが処置具出口１６から例えば５〜１０ｃｍ程度突出する長さに形成されている。
【００２５】
しかし、外套シース２０が造影剤注入チューブ３０と結合して使用される状態では、造影剤注入チューブ３０の可撓性チューブ３１の先端部分が処置具出口１６から突出して胆管１００内に差し込まれた位置にあるときに、外套シース２０の可撓性チューブ２１の先端部分２１ａが湾曲部１３の根元の直前に位置するように、外套シース２０の可撓性チューブ２１と造影剤注入チューブ３０の可撓性チューブ３１との長さの差が設定されている。
【００２６】
このような状態で造影剤注入チューブ３０の可撓性チューブ３１の先端が胆管１００内に挿入されていて、造影剤注入チューブ３０の手元口金３２に突設された注入口金３３から造影剤を注入することにより、その造影剤を胆管１００内に送り出して、胆管１００のＸ線造影像を得ることができる。
【００２７】
胆管１００内への造影剤注入が済んだら、図６に示されるように、外套シース２０の手元口金２２と造影剤注入チューブ３０の手元口金３２との結合を解除し、造影剤注入チューブ３０は動かさずに、外套シース２０だけを処置具挿入口１５内に押し込む。
【００２８】
すると、外套シース２０の可撓性チューブ２１の先端部分２１ａが処置具出口１６から突出して、可撓性チューブ３１をガイドにして胆管１００内に挿入される。
【００２９】
その状態になったら、外套シース２０を動かさないようにして造影剤注入チューブ３０を抜去し、図７に示されるように、子スコープ４０の挿入部４２を外套シース２０内に差し込むことによって、子スコープ４０の挿入部４２の先端が外套シース２０をガイドにして胆管１００内に挿入され、子スコープ４０で胆管１００内を観察することができる。
【００３０】
なお、本発明は上記実施の形態に限定されるものではなく、例えば筒状部４７ａ部分の軸線方向長さは先端部本体４７の長さの二分の一ないし四分の一程度の範囲にあればよい。
【００３１】
【発明の効果】
本発明によれば、観察光学系収容穴と照明光学系収容穴とが形成されている部分が先端部本体の全長に比べて相当に短いので、途中における穴の曲がりや変形が極めて小さく正確に加工することができる。また、接着剤を確実に充填するだけの空間がある筒状部内において先端部本体に対するイメージガイドファイバとライトガイドファイバの接着が行われるので、強固で信頼性の高い固定とシールを行うことができる。
【図面の簡単な説明】
【図１】本発明の実施の形態の子スコープの挿入部の先端部分の拡大側面断面図である。
【図２】本発明の実施の形態の子スコープの挿入部の先端部分の拡大正面図である。
【図３】本発明の実施の形態の子スコープの挿入部のIII−III断面図である。
【図４】本発明の実施の形態の子スコープの側面図である。
【図５】本発明の実施の形態の親子式内視鏡装置の使用手順の第１ステップを示す側面略示図である。
【図６】本発明の実施の形態の親子式内視鏡装置の使用手順の第２ステップを示す側面略示図である。
【図７】本発明の実施の形態の親子式内視鏡装置の使用手順の第３ステップを示す側面略示図である。
【符号の説明】
４２  挿入部
４７  先端部本体
４７ａ  筒状部
４９  対物光学系
５０  イメージガイドファイバ
５２  ライトガイドファイバ
５３  ビーズ
５５  観察光学系収容穴
５６  照明光学系収容穴
５９  接着剤
【図１】
0003814055.tif 000002
【図２】
0003814055.tif 000003
【図３】
0003814055.tif 000004
【図４】
0003814055.tif 000005
【図５】
0003814055.tif 000006
【図６】
0003814055.tif 000007
【図７】
0003814055.tif 000008